(57)【特許請求の範囲】
【請求項１】
両端が密閉された管状容器と、前記管状容器内に設けられた振動吸収密封材とを備え、前記振動吸収密封材によって、前記管状容器の内部が長さ方向について２つの密閉空間に分離され、一方の密閉空間は液体が充填される液体充填室として用いられ、他方の密閉空間は空気が封入される空気室として用いられ、更に、前記液体充填室側の前記管状容器の端部近傍の外周には刻痕が設けられ、前記刻痕の位置で前記管状容器を折ることにより、前記管状容器の端部に開口部が設けられ、この開口部から前記液体の取り出しが可能となっている流動制御及び振動吸収密封材付き容器。
【請求項２】
両端が密閉された管状容器と、前記管状容器内に設けられた２つの振動吸収密封材とを備え、前記２つの振動吸収密封材によって、前記管状容器の内部が長さ方向について３つの密閉空間に分離され、真ん中の密閉空間は液体が充填される液体充填室として用いられ、前記管状容器の両端側の密閉空間は空気が封入される２つの空気室として用いられ、更に、前記管状容器の両端の近傍の外周には刻痕が夫々設けられ、前記刻痕の位置で前記管状容器を折ることにより、前記管状容器の端部に開口部が設けられ、この開口部から前記液体の取り出しが可能となっている流動制御及び振動吸収密封材付き容器。
【請求項３】
前記開口部とは反対側の前記空気室は、大気圧以上の圧力となっていることを特徴とする請求項１または２に記載の流動制御及び振動吸収付き密封材の容器。
【請求項４】
前記刻痕の位置で前記管状容器を折ることにより、空気室内部の空気の圧力によって、前記振動吸収密封材の粘度及び長さで決まる流量に応じて、前記管状容器の内部に充填された液体を外部に取り出されることを特徴とする請求項３記載の流動制御及び振動吸収付き密封材の容器。
【請求項５】
両端が密閉された管状容器と、前記管状容器内に設けられた振動吸収密封材とを備え、前記振動吸収密封材によって、前記管状容器の内部が長さ方向について２つの密閉空間に分離され、前記密閉空間の圧力は、大気圧以下の圧力となっており、前記管状容器の端部近傍の外周には刻痕が設けられ、前記刻痕の位置で前記管状容器の一端を折ることにより、前記管状容器の端部に開口部が設けられると、前記密閉空間の圧力が、大気圧以下であることにより、前記管状容器の他端側に向かって前記振動吸収密封材が移動し、前記開口部から液体を容器内へ取り込まれる流動制御及び振動吸収密封材付き容器。
【発明の詳細な説明】
【技術分野】
【０００１】
本発明は、振動吸収密封材付き容器に関し、特に、この容器に液体を充填して運搬する際に、液体の振動を吸収する振動吸収密封材付き容器に関するものである。
【背景技術】
【０００２】
液体を収納する容器に求められることには、内部の液体の滲出が防止されていることと、その容器を開けやすいことと、容器内の中味を容易に取り出せることがある。
【０００３】
しかしながら、従来の容器では、運搬する過程で内部の液体が振動する場合、この振動による圧力により、液体が容器から滲出したり、容器そのものが破裂する虞があった。また、容器から内部の液体を取り出す際に、流量を制御することが困難であった。すなわち、従来では、この流量の制御を、経済的な制限の範囲内で制度良く行うことができなかった。
【発明の開示】
【発明が解決しようとする課題】
【０００４】
本発明はこのような事情に鑑みてなされたものであって、主に、内部の液体の流量の制御を、経済的な制限の範囲内で制度良く行うことの可能な流動制御及び振動吸収密封材付き容器を提供することを目的とする。
本発明は、容器内部に加圧された空間を設けて、この圧力によって容器内の液体を取り出すことの可能な、流動制御及び振動吸収密封材付き容器を提供することを目的とする。
又、本発明は、振動吸収密封材を設けることにより、容器の運搬中に、内部の液体に加わる振動を吸収すると共に液体の滲出を防止し、容器内の液体と空気室とを仕切り、且つ容器からの液体の流量を効率良く制御することの可能な流動制御及び振動吸収密封材付き容器を、高いコストパフォーマンスで提供することを目的とする。
【課題を解決するための手段】
【０００５】
本発明は、流動制御及び振動吸収密封材付き容器である。すなわち、本願の第１発明に係る流動制御及び振動吸収付き密封材の容器は、両端が密閉された管状容器と、前記管状容器内に設けられた振動吸収密封材とを備え、前記振動吸収密封材によって、前記管状容器の内部が長さ方向について２つの密閉空間に分離され、一方の密閉空間は液体が充填される液体充填室として用いられ、他方の密閉空間は空気が封入される空気室として用いられ、更に、前記液体充填室側の前記管状容器の端部近傍の外周には刻痕が設けられ、前記刻痕の位置で前記管状容器を折ることにより、前記管状容器の端部に開口部が設けられ、この開口部から前記液体の取り出しが可能となっていることを特徴とするものである。
本願の第２発明に係る流動制御及び振動吸収付き密封材の容器は、両端が密閉された管状容器と、前記管状容器内に設けられた２つの振動吸収密封材とを備え、前記２つの振動吸収密封材によって、前記管状容器の内部が長さ方向について３つの密閉空間に分離され、真ん中の密閉空間は液体が充填される液体充填室として用いられ、前記管状容器の両端側の密閉空間は空気が封入される２つの空気室として用いられ、更に、前記管状容器の両端の近傍の外周には刻痕が夫々設けられ、前記刻痕の位置で前記管状容器を折ることにより、前記管状容器の端部に開口部が設けられ、この開口部から前記液体の取り出しが可能となっていることを特徴とするものである。
本願の第３発明に係る流動制御及び振動吸収付き密封材の容器は、前記した第１又は第２の発明において、前記開口部とは反対側の前記空気室は、大気圧以上の圧力となっていることを特徴とするものである。
本願の第４発明に係る流動制御及び振動吸収付き密封材の容器は、前記した第３発明において、前記刻痕の位置で前記管状容器を折ることにより、空気室内部の空気の圧力によって、前記振動吸収密封材の粘度及び長さで決まる流量に応じて、前記管状容器の内部に充填された液体を外部に取り出されることを特徴とするものである。
本願の第５発明に係る流動制御及び振動吸収付き密封材の容器は、両端が密閉された管状容器と、前記管状容器内に設けられた振動吸収密封材とを備え、前記振動吸収密封材によって、前記管状容器の内部が長さ方向について２つの密閉空間に分離され、前記密閉空間の圧力は、大気圧以下の圧力となっており、前記管状容器の端部近傍の外周には刻痕が設けられ、前記刻痕の位置で前記管状容器の一端を折ることにより、前記管状容器の端部に開口部が設けられると、前記密閉空間の圧力が、大気圧以下であることにより、前記管状容器の他端側に向かって前記振動吸収密封材が移動し、前記開口部から液体を容器内へ取り込まれることを特徴とするものである。
【発明の効果】
【０００６】
本発明に提供された流動制御及び振動吸収付き密封材の容器は、従来の技術に比べて、下記の長所がある。
本発明は、経済的な制限の範囲内で、容器からの流量を精度良く制御することができ、
本発明は、容器に加圧空気を充填させ、その圧力により容器に収納された液体を流出させることができる。
【発明を実施するための最良の形態】
【０００７】
以下、本発明の流動制御及び振動吸収密封材付き容器について、図面を参照しながら説明する。
図１には、流動制御及び振動吸収密封材付き容器の最適な具体例を示す。図示されている細長い管状容器は、密閉された端部４、５を備えている。その細長い管状容器の中に、振動吸収密封材１が挿入されている。その振動吸収密封材１は、容器の端部４の近傍に位置している。端部４と振動吸収密封材１との間は、所定距離だけ離れており、空気室３が形成されている。又、その細長い管状容器の端部５と振動吸収密封材１との間に、液体２が充填されている。液体２としては、例えば、医療薬剤、嗽薬、薄荷や、その他の化学薬剤などがある。振動吸収密封材１の仕切りを介して、液体２と空気室３とは仕切られている。端部４，５は密閉されているので、容器に充填された液体２が滲出することはない。また、容器の端部５近傍の外周に、容器を折って、端部５を切り離す事の可能な加工が施されている。この実施形態では、このような加工として、刻痕６が採用されている。この刻痕６で、端部５を折ることにより、内部の液体２を取り出す事が可能となる。
【０００８】
その細長い管状容器を運送する過程で、振動吸収密封材は液体２の流動を制限する機能を有している。すなわち、液体２に伝わる圧力を、適宜分散して、空気室３に伝えることにより、流動の制限を行う。これにより、液体２の振動の抑止が可能となると共に、空気室３と液体２とのアイソレーションを保つ。容器から液体２を取り出す時は、刻痕６の位置で、容器の端部５を折る。これにより、容器が開封される。一旦容器が開けられると、その液体２は容器の開ロ端部５から取り出す事が可能となる。例えば、ユーザーは、口を使って、液体２を容器から吸い出すことができる。
【０００９】
細長い管状容器は大気圧より高い圧力で密封されており、空気室３は加圧空気で満たされている。これは、前記容器端部を、加圧された環境中で密封することにより形成される。液体２は圧縮することができない。振動吸収密封材１は液体２に伝わる圧力を、適宜分散して、空気室３に伝えることにより、運送期間に発生した振動を抑止することが可能となっている。この容器は両端部４、５で密封されているので、液体２は滲出することができない。容器から液体２を取り出す時は、刻痕６の位置で、容器の端部５を折る。これにより、容器が開封される。
【００１０】
運送中に、振動吸収密封材１は液体２に伝わる圧力を、適宜分散して、空気室３に伝えることにより、発生した振動を抑止することが可能となっている。又、振動吸収密封材１は、液体２を振動吸収密封材１と端部５の間に保持する。容器から液体２を取り出す時、刻痕６の位置で、容器の端部５を折れば、容器が開封される。一旦容器が開けられると、液体２は空気室３内部の圧力、振動吸収密封材１の粘度及び長さで決まる流量に応じて、空気室３内部の空気の圧力によって、強制的に容器から流れ出る。
【００１１】
振動吸収密封材１は、その粘度がより高い場合、又は、それがより長い場合、液体２は、一定の遅延の後、より遅い流量に制御されて、容器から流れ出る。
【００１２】
また、振動吸収密封材１は、その粘度より低い場合、又は、それがより短い時、液体２は、直ちに大きな流量で、容器から流れ出る。
【００１３】
流れ出る液体２の量は、充填された容器の端部５近傍の刻痕６の位置で、決定する。端部５は、容器から折れらた後も、内部に液体２が残っている。なぜなら、端部５の一端は密封されており、大気圧によって、液体２の流出が防止されるためである。
【００１４】
図２には、流動制御及び振動吸収密封材付き容器の別の具体例を示す。図示されている細長い管状容器は、密閉された端部４、５を備えている。その細長い管状容器の内部に、端部４、５の近傍に、二つの振動吸収密封材１、１１が挿入されている。端部４と振動吸収密封材１との間、および、端部５と振動吸収密封材１１との間は、夫々所定距離だけ離れており、空気室７、８が形成されている。又、その細長い管状容器の振動吸収密封材１と振動吸収密封材１１との間に、液体２が充填されている。液体２としては、例えば、医療薬剤、嗽薬、薄荷や、その他の化学薬剤などがある。振動吸収密封材１の仕切りを介して、液体２と空気室３とは仕切られている。端部４，５は密閉されているので、容器に充填された液体２が滲出することができない。また、容器の外周であって、容器を折ることで端部５を切り離す事の可能な加工が、端部４近傍と端部５近傍の２箇所に施されている。この実施形態では、このような加工として、刻痕９、１０が採用されている。端部５を折ることにより、内部の液体２を取り出す事が可能となっている。
【００１５】
その細長い管状容器を運送する過程で、振動吸収密封材１、１１は液体２の流動を制限する機能を有している。すなわち、液体２に伝わる圧力を、適宜分散して、空気室７、８に伝えることにより、流動の制限を行う。これにより、液体２の振動の抑止が可能となると共に、空気室７、８と液体２とのアイソレーションを保つ。容器から液体２を取り出す時、刻痕９または１０の位置で、容器の端部５を折れば、容器が開封される。一旦容器が開けられると、振動吸収密封材１または１１の粘度及び長さで決まる流量に応じて、空気室８、９中の空気の圧力により、液体２は強制的に容器から流れ出る。それにより、液体２を容器の開ロ端部４または５から取り出す事が可能となっている。
【００１６】
振動吸収密封材１、１１は、その粘度がより高い場合、又は、それがより長い場合、液体２は、一定の遅延の後、より遅い流量に制御されて、容器から流れ出る。
【００１７】
また、振動吸収密封材１、１１は、その粘度がより低い場合、又は、それがより短い時、液体２は、直ちに大きな流量で、容器から流れ出る。
【００１８】
ここで、開口部は容器両端部の空気室７、８に位置しており、液体２は振動吸収密封材１、１１の間にあるので、液体２は滲出し浪費されることはない。そして、液体２は、その重さによって振動吸収密封材１又は１１側から流れ出る。
【００１９】
細長い管状容器は大気圧より高い圧力で密封されており、空気室７、８は加圧空気で満たされている。これは、前記容器端部を、加圧された環境中で密封することにより形成される。液体２は圧縮することができない。この容器では、両端部４、５に空気室７、８が設けられているので、液体２は容器の中間部に保持される。振動吸収密封材は空気室７、８を分離して、その圧力を液体２に伝えるので、運送期間に発生した振動を抑止することが可能となっている。
【００２０】
容器から液体２を取り出す時、その容器の両端部４、５の何れかが折られ、開口が形成される。一旦容器の一端が開けられると、未開の端部の空気室７又は８中の空気圧力によって、液体２は、振動吸収密封材１または１１の粘度及び長さで決まる流量に応じて、一定の遅延の後、強制的に所定の流量で容器から流れ出る。
【００２１】
図３に、流動制御及び振動吸収付き密封材の別の具体例を示す。図示の細長い管状容器は、密閉された端部４、５を備えている。その細長い管状容器の中に、振動吸収密封材１２が挿入されている。容器はその端部４、５から開けることができる。容器の両端部４、５に、空気室１３、１４が形成されている。振動吸収密封材１２が、これら空気室１３、１４を仕切っている。容器の両端部４、５の空気室１３、１４は、夫々大気圧より低い圧力（又は負圧）となっている。容器の外周側に刻痕１５、１６が設けられ、この刻痕１５、１６で容器の端部４、５を容易に折ることができ、開封することが可能となっている。
【００２２】
この具体例の容器を用いて、容易に液体のサンプルを収集することができる。その容器を使用して、収集するものとしては、例えば、唾液又は人体の液体など、医療検診のサンプルがある。容器に設けられた複数の刻痕の一つ、例えば端部４を折って、容器の開封が行われる。すると、一定の遅延の後、容器の他端部５の空気室１４の相対的な負圧により、振動吸収密封材１２が、密封された端部５へ向って、徐々に移動する。この時、収集すべき液体に端部４が接していれば、その液体は容器に吸入され、保持される。収集された液体を容器から取り出す際は、密封された端部５を折って、空気を空気室１４に入れることによって、一定の遅延の後、容器外へ取り出す事ができる。
【００２３】
なお、収集された液体２は、振動吸収密封材１２の粘度及び長さで決まる流量に応じて、容器内へ取り込まれ、又、容器内から取り出される。
【００２４】
振動吸収密封材１２は、その粘度がより高い場合、又は、それがより長い場合、液体２は、一定の遅延の後、より遅い流量に制御されて、容器内へ取り込まれ、又、容器内から取り出される。
【００２５】
振動吸収密封材１２は、その粘度がより低い場合、又は、それがより短い場合、液体２は、一定の遅延の後、直ちにより速い流量に制御されて、容器内へ取り込まれ、又、容器内から取り出される。
上記の詳細説明は、本発明の具体実施例の一つについて説明したものである。但し，本発明はこれに限定されるものではなく、本発明の実施例と変形例を逸脱しない部分は、本発明の記載の一部とする。
【図面の簡単な説明】
【００２６】
【図１】流動制御及び振動吸収付き密封材１が端部４に挿入された本発明の実施形態による容器を示す。
【図２】流動制御及び振動吸収付き密封材１、１１が端部４、５に挿入された本発明の別の実施形態による容器を示す。
【図３】流動制御及び振動吸収付き密封材１２が中間部に挿入された本発明の更に別の実施形態による容器を示す。
【符号の説明】
【００２７】
１ 振動吸収密封材
２ 液体
３ 空気室
４ 端部
５ 端部
６ 刻痕
７ 空気室
８ 空気室
９ 刻痕
１０ 刻痕
１１ 振動吸収密封材
１２ 振動吸収密封材
１３ 空気室
１４ 空気室
１５ 刻痕
１６ 刻痕
【図１】
0004040023.tif 000002
【図２】
0004040023.tif 000003
【図３】
0004040023.tif 000004